(57)【要約】      （修正有）【課題】音域切替イヤホンを提供する。【解決手段】イヤホン筐体と低音スピーカーユニット４０と高音スピーカーユニット３０と回路接続モジュール５０と制御手段６０とを含む音域切替イヤホン１であって、低音スピーカーユニット、高音スピーカーユニット及び回路接続モジュールはイヤホン筐体内に位置し、回路接続モジュールが低音スピーカーユニット及び高音スピーカーユニットに電気的に接続し、制御手段が回路接続モジュールに接続し、高音スピーカーユニットのオン又はオフの切り替え、若しくは回路接続モジュール内のフィルタ手段のフィルタモードの切り替えに用いられ、よって、同一イヤホンは異なる周波数応答効果を奏することができることで、利用者が異なる性質の音楽を聴くこと、又は異なる場面内の需要及び好みを満たす。このため、クラシック音楽の愛好者又は臨場感を好むゲームプレイヤーを問わず、いずれも本考案の音域切替イヤホンを通じ満足できる。【選択図】図１
0003198476.tif 000002
【実用新案登録請求の範囲】
【請求項１】
イヤホン筐体と
前記イヤホン筐体内に設けられる低音スピーカーユニットと、
前記イヤホン筐体内に設けられる高音スピーカーユニットと、
前記低音スピーカーユニット及び前記高音スピーカーユニットに電気的に接続する回路接続モジュールと、
前記回路接続モジュールに接続し、前記高音スピーカーユニットのオン又はオフを制御することに用いられる制御手段と、
を含むことを特徴とする音域切替イヤホン。
【請求項２】
前記回路接続モジュールは、スイッチ手段を含み、前記制御手段が前記スイッチ手段のオン又はオフを制御することで、前記回路接続モジュールと前記高音スピーカーユニットとの間を開路或いは閉路に切り替えることを特徴とする請求項１に記載の音域切替イヤホン。
【請求項３】
前記回路接続モジュールは、信号受信手段とスイッチ手段とを含み、前記信号受信手段が前記制御手段と前記スイッチ手段に電気的に接続し、前記制御手段が作動の切替信号を生成し、前記信号受信手段が前記切替信号を受信すると共に前記スイッチ手段のオン又はオフを制御することで、前記回路接続モジュールと前記高音スピーカーユニットとの間を開路或いは閉路に切り替えることを特徴とする請求項１に記載の音域切替イヤホン。
【請求項４】
前記制御手段は、前記イヤホン筐体上に設けられることを特徴とする請求項１〜２のいずれか一項に記載の音域切替イヤホン。
【請求項５】
前記回路接続モジュールは、更に接続ケーブルに接続しており、前記接続ケーブル上にコントロールバーを有し、且つ前記制御手段が前記コントロールバー上に設けられることを特徴とする請求項１〜３のいずれか一項に記載の音域切替イヤホン。
【請求項６】
前記制御手段は、押圧スイッチ、タッチスイッチ或いはディップスイッチとすることを特徴とする請求項１〜３のいずれか一項に記載の音域切替イヤホン。
【請求項７】
支持材を更に含み、且つ前記イヤホン筐体は、第１の筐体と第２の筐体とを含み、前記第１の筐体が耳挿入部を備え、前記第１の筐体及び前記第２の筐体を互いに組み立て、前記支持材が前記イヤホン筐体内に設けられ、前記第１の筐体又は前記第２の筐体と連接し、前記低音スピーカーユニットは前記支持材の第１側と連接し、前記高音スピーカーユニットが前記支持材の第２側と連接し、前記第２側が前記第１側に対向し、且つ前記耳挿入部に向かい、前記高音スピーカーユニットが複数個の透音孔を含むことを特徴とする請求項１に記載の音域切替イヤホン。
【請求項８】
前記高音スピーカーユニットは、圧電セラミックスピーカーとし、また前記透音孔が前記高音スピーカーユニット上に環状に並ばれることを特徴とする請求項７に記載の音域切替イヤホン。
【請求項９】
イヤホン筐体と
前記イヤホン筐体内に設けられる低音スピーカーユニットと、
前記イヤホン筐体内に設けられる高音スピーカーユニットと、
前記低音スピーカーユニット及び前記高音スピーカーユニットに電気的に接続し、且つフィルタモードと非フィルタモードとを備えるフィルタ手段を含み、フィルタ手段が前記高音スピーカーユニットに電気的に接続する回路接続モジュールと、
前記フィルタ手段に接続し、前記フィルタ手段を前記フィルタモード或いは前記非フィルタモードとして選択的に制御することに用いられる制御手段と、
を含むことを特徴とする音域切替イヤホン。
【請求項１０】
前記回路接続モジュールは、信号受信手段を更に含み、前記信号受信手段が前記制御手段及び前記フィルタ手段に接続し、前記制御手段が作動の切替信号を生成し、前記信号受信手段が前記切替信号を受信すると共に前記フィルタ手段を前記フィルタモード或いは前記非フィルタモードとして切り替えるよう制御することを特徴とする請求項９に記載の音域切替イヤホン。
【請求項１１】
前記回路接続モジュールは、更に接続ケーブルに接続しており、前記接続ケーブル上にコントロールバーを有し、且つ前記制御手段が前記コントロールバー上に設けられることを特徴とする請求項９〜１０のいずれか一項に記載の音域切替イヤホン。
【請求項１２】
前記制御手段は、押圧スイッチ、タッチスイッチ或いはディップスイッチとすることを特徴とする請求項９〜１０のいずれか一項に記載の音域切替イヤホン。
【請求項１３】
前記制御手段は、前記イヤホン筐体上に設けられることを特徴とする請求項９に記載の音域切替イヤホン。
【請求項１４】
支持材を更に含み、且つ前記イヤホン筐体は、第１の筐体と第２の筐体とを含み、前記第１の筐体が耳挿入部を備え、前記第１の筐体及び前記第２の筐体を互いに組み立て、前記支持体が前記イヤホン筐体内に設けられ、前記第１の筐体又は前記第２の筐体と連接し、前記低音スピーカーユニットは前記支持材の第１側と連接し、前記高音スピーカーユニットが前記支持材の第２側と連接し、前記第２側が前記第１側に対向し、且つ前記耳挿入部に向かい、前記高音スピーカーユニットが複数個の透音孔を含むことを特徴とする請求項９に記載の音域切替イヤホン。
【請求項１５】
前記高音スピーカーユニットは、圧電セラミックスピーカーとし、また前記透音孔が前記高音スピーカーユニット上に環状に並ばれることを特徴とする請求項１４に記載の音域切替イヤホン。
【考案の詳細な説明】
【技術分野】
【０００１】
本考案は、イヤホン音声信号分野に関し、特に、周波数応答を切り替えて音域を変換できるイヤホンに関する。
【背景技術】
【０００２】
市場上の携帯電話、タブレット型コンピュータ、ｍｐ３オーディオプレーヤー等のコンシューマー向け電子機器のイヤホンの多くは、可動コイル形イヤホンに属する。可動コイル形イヤホンは、通常振動板とボイスコイルと永久磁石とを含む。ボイスコイルは、永久磁石の中に位置し、電流駆動を受けて磁場を発生し、永久磁石の磁力と交互作用して振動板の振動を押す。音声信号は、接続ケーブルを通じてボイスコイルに伝送して可聴音波に変換して出力する。
【０００３】
汎用性及びコストを勘案するため、通常単一振動板を有する可動コイル形ユニットを用い、利点は発生する周波数帯が比較的広いことであるが、よく見られる欠点は中、高音の周波数分解能効果が悪いことである。スペクトル解析から見ると、通常高音域における応答が比較悪いことにより、音、応答の位置及び立体感や空間の奥行き感等を鮮明に描き出すことができなくなる。汎用であるが、イヤホンを使用する者の習慣が異なり、例えば、クラシック音楽を聴くことに、又は携帯電話或いはタブレット型コンピュータのゲームプレイに使用する人がいる。よって各種需要を満すことができるイヤホンが必要とされる。
【考案の概要】
【考案が解決しようとする課題】
【０００４】
本考案の主な目的は、音域切替イヤホンを提供することである。音域切替イヤホンは、イヤホン筐体と低音スピーカーユニットと高音スピーカーユニットと回路接続モジュールと制御手段とを含む。低音スピーカーユニット及び高音スピーカーユニットは、イヤホン筐体内に設けられる。回路接続モジュールは低音スピーカーユニット及び高音スピーカーユニットに電気的に接続する。制御手段が回路接続モジュールに接続し、高音スピーカーユニットのオン又はオフを制御することに用いられる。    
【０００５】
一実施例において、回路接続モジュールは、スイッチ手段と信号受信手段とを含む。信号受信手段は、スイッチ手段及び制御手段に電気的に接続する。制御手段が作動の切替信号を生成し、信号受信手段が切替信号を受信すると共にスイッチ手段のオン又はオフを制御することで、回路接続モジュールと高音スピーカーユニット間を開路或いは閉路に切り替える。この方式は電気信号でスイッチ手段のオン又はオフを制御する。
【０００６】
一実施例において、回路接続モジュールはスイッチ手段を含み、スイッチ手段が直接制御手段に接続する。制御手段はスイッチ手段のオン又はオフを制御することで、回路接続モジュールと高音スピーカーユニット間を開路或いは閉路に切り替える。この方式は機械力方式でスイッチ手段のオン又はオフを制御する。
【０００７】
一実施例において、制御手段はコントロールバーの上に設けられる。コントロールバーは接続ケーブル上に設けられ、且つ接続ケーブルが更に回路接続モジュールと接続する。他の実施例において、制御手段はイヤホン筐体上に設けられる。
【０００８】
本考案の他の目的は、音域切替イヤホンを提供することである。音域切替イヤホンは、イヤホン筐体と低音スピーカーユニットと高音スピーカーユニットと回路接続モジュールと制御手段とを含む。低音スピーカーユニット及び高音スピーカーユニットは、イヤホン筐体内に設けられる。回路接続モジュールは低音スピーカーユニット及び高音スピーカーユニットに電気的に接続し、且つ回路接続モジュールはフィルタモードと非フィルタモードとを備えるフィルタ手段を含む。制御手段がフィルタ手段に接続し、フィルタ手段をフィルタモード或いは非フィルタモードとして選択的に制御することに用いられる。
【０００９】
一実施例において、制御手段は信号制御手段を通じてフィルタ手段に電気接続し、電気信号方式でフィルタ手段をフィルタモード或いは非フィルタモードとして制御する。他の実施例において、制御手段は直接フィルタ手段に接続し、機械方式によりフィルタ手段をフィルタモード或いは非フィルタモードとして制御する。
【課題を解決するための手段】
【００１０】
上記目的を達成するため、本考案の音域切替イヤホンはイヤホン筐体と低音スピーカーユニットと高音スピーカーユニットと回路接続モジュールと制御手段とを含み、低音スピーカーユニット、高音スピーカーユニット及び回路接続モジュールはイヤホン筐体内に位置し、回路接続モジュールが低音スピーカーユニット及び高音スピーカーユニットに電気的に接続し、制御手段が回路接続モジュールに接続し、高音スピーカーユニットのオン又はオフの切り替え、若しくは回路接続モジュール内のフィルタ手段のフィルタモードの切り替えに用いられる。
【考案の効果】
【００１１】
本考案の音域切替イヤホンは、主に利用者に切替選択を提供して高音スピーカーユニットのオン又はオフ若しくはフィルタ手段をフィルタモード或いは非フィルタモードとして制御することで、周波数の範囲及び音域の広さを調整する。よって、同一イヤホンは異なる周波数応答効果を奏することができることで、利用者が異なる性質の音楽を聴くこと、又は異なる場面内の需要及び好みを満たす。このため、全オーディオ分解能の効果が比較的良好であることを望むクラシック音楽の愛好者、若しくは低周波による臨場感の強化を望むゲームプレイヤーを問わず、いずれも本考案の音域切替イヤホンを通じ満足できる。
【図面の簡単な説明】
【００１２】
【図１】本考案に係る音域切替イヤホンの実施例１の分解図である。
【図２】本考案に係る音域切替イヤホンの実施例２の分解図である。
【図３】本考案に係る音域切替イヤホンの実施例１の手段を示す模式図である。
【図４】本考案に係る音域切替イヤホンの実施例２の手段を示す模式図である。
【図５】本考案に係る音域切替イヤホンの実施例３の手段を示す模式図である。
【図６】本考案に係る音域切替イヤホンの実施例４の手段を示す模式図である。
【考案を実施するための形態】
【００１３】
（実施例１）
図１を参照すると、本考案に係る音域切替イヤホンの実施例１の分解図である。図１に示すように、本考案の実施例１の音域切替イヤホン１は、イヤホン筐体１０と高音スピーカーユニット３０と低音スピーカーユニット４０と回路接続モジュール５０と制御手段６０とを含む。
【００１４】
図１の実施例に示すように、イヤホン筐体１０は、第１の筐体１１と第２の筐体１３とを含み、第１の筐体１１及び第２の筐体１３を互いに組み立て、第１の筐体１１と第２の筐体１３の間に収容空間を形成する。第１の筐体１１に耳挿入部１１１を形成することで、装着者の外耳道に対応し、耳挿入部１１１の上に放音口（図示略）を設けて音を放出させることができる。しかしながら、以上のイヤホン筐体形態は、例示して説明するだけであって、本考案はこれに限るものではない。
【００１５】
高音スピーカーユニット３０及び低音スピーカーユニット４０は、イヤホン筐体１０内に設けられて回路接続モジュール５０と電気的に接続する。この実施例において、高音スピーカーユニット３０及び低音スピーカーユニット４０は、支持材２０を通じて第１の筐体１１と第２の筐体１３間の収容空間内に設けられることができる。支持材２０は第１の筐体１１或いは第２の筐体１３と連接でき、連接方式が支持材２０の外壁を利用して第１の筐体１１或いは第２の筐体１３と係着し、第１の筐体１１或いは第２の筐体１３上の係止ピンを利用して係着し、若しくは支持材２０のねじ部と第１の筐体１１或いは第２の筐体１３のねじ部とを互いに螺合させる。以上は、例示して説明するだけであって、本考案はこれに限るものではない。
【００１６】
低音スピーカーユニット４０は支持材２０の第１側２１と連接すると共に回路接続モジュール５０と電気的に接続する。回路接続モジュール５０は、電気信号の駆動を受信した時、低音スピーカーユニット４０を振動させて音波を発生する。低音スピーカーユニット４０は、可動コイル形スピーカー又は可動鉄片形スピーカーとする。高音スピーカーユニット３０は、支持材２０の第２側２３と連接し、第２側２３が第１側２１に対向し、且つ第１の筐体１１に向かう。高音スピーカーユニット３０は回路接続モジュール５０と電気的に接続し、回路接続モジュール５０が電気信号の駆動を受信した時、高音スピーカーユニット３０を振動させて音波を発生する。更に高音スピーカーユニット３０は、粘着シート８０を通じて支持材２０の第２側２３と連接する。
【００１７】
通常高音スピーカーユニット３０は、図１に示すように、圧電セラミックスピーカーで実現できる。高音スピーカーユニット３０は円盤状で、且つ低音スピーカーユニット４０が発生する音波を出すため、その上に環状に並ぶ透音孔３１を開設している。
【００１８】
回路接続モジュール５０は、低音スピーカーユニット４０と高音スピーカーユニット３０と接続ケーブルＬと電気的に接続し、外部接続の音声信号を受信した後、電気信号に変換して低音スピーカーユニット４０及び高音スピーカーユニット３０を作動する。更に、接続ケーブルＬは、第２の筐体１３の開口部１３１を貫通して固定できる。
【００１９】
本考案の実施例１の音域切替イヤホン１の制御手段６０は、コントロールバー７０（Ｃｏｎｔｒｏｌ  Ｂａｒ）上に設けられる。該コントロールバー７０は接続ケーブルＬ上に設けられ、且つ接続ケーブルＬが更に回路接続モジュール５０と電気的に接続する。この実施例において、制御手段６０は押圧スイッチにより実施し、制御手段が押圧された時、回路接続モジュール５０と高音スピーカーユニット３０間の閉路（ｃｌｏｓｅ）或いは開路（ｏｐｅｎ）を制御することで、高音スピーカーユニット３０のオン及びオフを制御する。更に制御手段６０も段階／無段階のタクトスイッチ、マイクロスイッチ、ディップスイッチ、スライドスイッチ、タッチスイッチを利用して実施できる。以上は、例示して説明するだけであって、本考案はこれに限るものではない。
【００２０】
（実施例２）
図２を参照すると、本考案に係る音域切替イヤホンの実施例２の分解図である。図２に示すように、本考案の実施例２の音域切替イヤホン２は、実施例１の構造と近似するが、制御手段６０の設置方式が異なる。本考案の実施例２の音域切替イヤホン２の制御手段６０は、イヤホン筐体１０上に設けられ、更に明確的に第２の筐体１３上に設けられると共に回路接続モジュール５０及び高音スピーカーユニット３０と電気的に接続する。こうすると、利用者は音域切替イヤホン２を装着している時、手の指でイヤホン筐体の外側を押圧して高音スピーカーユニットの切替効果を奏することができる。
【００２１】
図３乃至図６を参照すると、各々本考案に係る音域切替イヤホンの実施例１乃至実施例４の手段を示す模式図である。図３乃至図６に示すように、本考案の音域切替イヤホンは、手段構造で回路接続モジュール５０と高音スピーカーユニット３０と低音スピーカーユニット４０と制御手段６０の関係を表現する。回路接続モジュール５０は、実際上プリント回路基板で実施でき、接続ケーブルＬを通じて外部信号源（図示略）まで接続して駆動することで、高音スピーカーユニット３０及び／又は低音スピーカーユニット４０を作動させる。
【００２２】
図３に示すように、図１の実施例の構造に比べて、回路接続モジュール５０はスイッチ手段５１と信号受信手段５７とを含み、主に電気信号でスイッチ手段５１の開路或いは閉路を制御する。信号受信手段５７は制御手段６０及びスイッチ手段５１に電気的に接続し、制御手段６０が押圧又は切替等の操作を受けた時、切替信号を生成する。信号受信手段５７は切替信号を受信すると共にスイッチ手段５１のオン又はオフを制御することで、回路接続モジュール５０と高音スピーカーユニット３０間を開路或いは閉路に切り替える。このほかに、回路接続モジュール５０は、第１のフィルタ手段５３と第２のフィルタ手段５５を更に含み、第１のフィルタ手段５３が高音スピーカーユニット３０に電気的に接続し、第２のフィルタ手段５５が低音スピーカーユニット４０に電気的に接続する。第１のフィルタ手段５３及び第２のフィルタ手段５５は、ハイパスフィルタ若しくはローパスフィルタとすることができて、特定の周波数帯域をろ過する。第１のフィルタ手段５３及び第２のフィルタ手段５５は、抵抗・コンデンサ（ＲＣ）回路、抵抗・インダクタンス（ＲＬ）回路或いは抵抗・インダクタンス・コンデンサ（ＲＬＣ）回路で実施できる。
【００２３】
図４に示すように、図２の実施例の構造に比べて、これは主に機械方式でスイッチ手段５１を制御する。スイッチ手段５１は、直接制御手段６０と接続し、制御手段６０が押圧又は切替等の操作を利用して、スイッチ手段５１のオン又はオフを制御することで、回路接続モジュール５０と高音スピーカーユニット３０間を開路（ｏｐｅｎ）或いは閉路（ｃｌｏｓｅ）になるよう制御する。高音スピーカーユニット３０をオンにする時、一般的な中、高周波域の応答を補足することで、音域が広くなり、高分解能（Ｈｉｇｈ  Ｒｅｓｏｌｕｔｉｏｎ、ＨＤ）の効果を奏することができる。音響全体の分解能が高めることができるため、クラシック音楽の愛好者又は特定の楽器を聴くことに慣れる者を満すことができる。同時に、制御手段６０を押圧等の方式で切り替えて、高音スピーカーユニット３０をオフにした時、低音スピーカーユニット４０で再生でき、中、高周波の減少のため、音域が狭くなり、瞬間の聴覚効果において低音増強と感じられ、ゲームプレイヤーのニーズを満すことができる。
【００２４】
図５に示すように、実施例３は図１の実施例の構造に比べると、配線接続方式は実施例１及び実施例２と異なり、回路接続モジュール５０は、第１のフィルタ手段５３と第２のフィルタ手段５５と信号受信手段５７とを含む。第１のフィルタ手段５３、第２のフィルタ手段５５は、高音スピーカーユニット３０及び低音スピーカーユニット４０に各々接続し、第１のフィルタ手段５３がフィルタモードと非フィルタモードとを備える。信号受信手段５７は制御手段６０及び第１のフィルタ手段５３に電気的に接続する。制御手段６０は、押圧又は切替等の操作を受けた時、切替信号を生成する。信号受信手段５７は切替信号を受信すると共に第１のフィルタ手段５３をフィルタモード及び非フィルタモードの間に切り替えるよう制御する。例えば、第１のフィルタ手段５３は、本来フィルタモードで、信号受信手段５７が切替信号を受信した後、第１のフィルタ手段５３を非フィルタモードになるよう制御する。この方式は、回路接続モジュール５０と高音スピーカーユニット３０の接続の開路或いは閉路を変更することなく、電気信号で特定の音声周波数をろ過する方法で音域切替の効果を奏する。例えば、第１のフィルタ手段５３はハイパスフィルタの場合、フィルタモードにおいて低周波数帯域をろ過し、非フィルタモードにおいて低周波数帯域がろ過されないことで、低周波の部分を強化している。
【００２５】
図６に示すように、図２の実施例の構造に比べると、これは主に機械方式で第１のフィルタ手段５３を制御する。第１のフィルタ手段５３は直接制御手段６０と接続し、制御手段６０が押圧或いは切替等の操作を利用して、第１のフィルタ手段５３をフィルタモード又は非フィルタモードに切り替えることで、特定の周波数帯域をろ過したかどうかを制御する。制御手段６０は、段階／無段階タクトスイッチ、マイクロスイッチ、ディップスイッチ、スライドスイッチ、タッチスイッチによって実施できる。
【００２６】
本考案が達成しようとする目的は、利用者に切替選択を提供して高音スピーカーユニットのオン又はオフを制御し、若しくはフィルタ手段をフィルタモード或いは非フィルタモードになるよう制御することで、周波数範囲を調整することである。よって、同一イヤホンは異なる周波数応答効果を奏することができることで、利用者が異なる性質の音楽を聴くこと、若しくは異なる場面内のニーズ及び好みを満たすことができる。
【００２７】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００２８】
１    音域切替イヤホン
２    音域切替イヤホン
１０  イヤホン筐体
１１  第１の筐体
１１１    耳挿入部
１３  第２の筐体
１３１    開口部
２０  支持材
２１  第１側
２３  第２側
３０  高音スピーカーユニット
３１  透音孔
４０  低音スピーカーユニット
５０  回路接続モジュール
５１  スイッチ手段
５３  第１のフィルタ手段
５５  第２のフィルタ手段
５７  信号受信手段
６０  制御手段
７０  コントロールバー
８０  粘着シート
Ｌ    接続ケーブル
【図１】
0003198476.tif 000003
【図２】
0003198476.tif 000004
【図３】
0003198476.tif 000005
【図４】
0003198476.tif 000006
【図５】
0003198476.tif 000007
【図６】
0003198476.tif 000008